(57)【要約】【課題】  複雑化するレイアウトに対処でき、特に特別な構造物を追加することなく筐体強度を保持することができるものとする。【解決手段】  ベース１１の端部に対向して２枚の側板部材１４，１５が立設され、２枚の側板部材間には、ステー部材１６，１７，１８が配置された筐体構造において、ベース１１には周縁部２３から下方に向けた斜壁部２４と底板部２５とが形成された凹部１３が形成され、前記側板部材１４，１５の下端部を前記凹部１３の底板部２５に接触させて固着した。これにより、ベース１１が補強されるほか側板部材１４の下方には切り欠きがなくなり側板部材１４をベース１１に強固に固定できる。また、脚部材４１を底板部２５の裏面側に配置し、筐体の精度を向上させた。【選択図】        図１
2006215254.tif 000002
【特許請求の範囲】
【請求項１】
底板部材と、この底板部材の端部に対向して立設される２枚の側板部材とを備えた筐体構造において、
前記底板部材には周縁から下方に向けた傾斜部と傾斜部から延設される底部とが形成された凹部が形成され、前記側板部材の下端部を前記凹部の底部に接触させて固着したことを特徴とする筐体構造。
【請求項２】
前記２枚の側板部材間には、ステー部材が配置されていることを特徴とする請求項１の筐体構造。
【請求項３】
前記側板部材の下端部には、前記凹部の底部に接触するフランジ部が形成されてなることを特徴とする請求項１または２の筐体構造。
【請求項４】
前記側板部材のフランジ部には、前記凹部の底板を挟んで筐体の支持脚部材が取り付けられていることを特徴とする請求項１ないし３のいずれかの筐体構造。
【請求項５】
前記側板部材のうち少なくとも一方の側板部材には装置部品が挿入でき、その周縁が閉曲線をなす開口が形成されていることを特徴とする請求項１ないし４のいずれかの筐体構造。
【請求項６】
前記側板部材の開口周縁にはフランジ部が形成されていることを特徴とする請求項５の筐体構造。
【請求項７】
前記開口の下端縁は前記底板部材の周縁より下側に配置されていることを特徴とする請求項５または６の筐体構造。
【請求項８】
請求項１ないし７の筐体構造を備えたことを特徴とする装置。
【請求項９】
請求項１ないし７の筐体構造を備えたことを特徴とする画像形成装置。
【発明の詳細な説明】
【技術分野】
【０００１】
本発明は、筐体構造及びこれを用いた画像形成装置に係り、複雑化するレイアウトに対処でき、特に特別な構造物を追加することなく筐体強度を保持することができる筐体構造及びこれを用いた画像形成装置に関する。
【背景技術】
【０００２】
電子写真方式を用いた複写機、プリンター、ＦＡＸ等画像形成装置の筐体は、本体強度とコストのバランスを考え、板金部材によって構成されることが多い。この筐体構造の一例を図５に基づいて説明する。本例の筐体構造体は、板金部材で構成されたベース１０１と、ベース１０１に前後に立設された側板部材１０２，１０３と、２枚の側板部材１０２，１０３の間を連結するステー部材１０４，１０５，１０６とからなる。ベース１０１は平板状でその周囲にベース補強用の縦壁１１１，同じく補強用の折り返し部１１２が形成されている。
【０００３】
このような画像形成装置の筐体構造として次のものがある。特許文献１には、ベースに平面部に前側板部材と後側板部材が取り付けられ、ベース端部の外周領域には全周に渡ってカーリングが施されているものが記載されている。
【０００４】
特許文献２には、画像形成装置を構成する各ユニットが組み付けられる前後側板部材には位置決め用の爪片、螺子穴及び位置決め用穴等が、また、本体ベースにも螺子穴及び位置決め用穴が設けられ、位置決め用の爪片と穴を嵌合させて螺子止めを行ない、前後側板部材の上縁折り曲げ面は、下縁折り曲げ面に形成された螺子穴に対して垂直上方向から見て重ならぬようにしているものが記載されている。
【０００５】
特許文献３には、金属鋼板を組み合わせてプレス成形して箱型形状に形成されたフレーム部材と、金属板で構成した底板部材と、右板部材、左板部材、ステー材を溶接して構成した筐体構造が記載されている。
【０００６】
特許文献４には、装置構造体が画像形成部とスキャナ部（画像読取部）に分割され、これらの画像形成部とスキャナ部とを組み合わせてなる画像形成装置において、前記画像形成部の構造体をモールドフレームで構成し、シートの給紙カセット部を除く画像形成装置本体の底面を形成する金属製の底板（底板部材）によって前記モールドフレームを支持し、前記底板の隅部３箇所に立設された３本の支柱と、残り１箇所の隅部に設けられた箱形状をなす側板部材（支持側板部材）によってスキャナ部を支持するものが記載されている。
【特許文献１】特開平０７−３０１９６４号公報
【特許文献２】特開平０８−２７２１７１号公報
【特許文献３】特開２００３−０５３５８２号公報
【特許文献４】特開２００３−０８４５１７号公報
【発明の開示】
【発明が解決しようとする課題】
【０００７】
ところで、近年複写機、プリンター、ＦＡＸ等の画像形成装置は、省スペース化が要求されてきており、このため装置マシン内部のレイアウトも過密化する。例えば図６に示すように画像形成装置の装置本体内に給紙トレイ１１０を装着するため、前側板部材前部に開口１１３を切り欠いたものを使用することとなる。
【０００８】
しかしながら、このように単に開口等を設けるようにしてレイアウトの過密化に対処するだけでは、筐体構造が強度不足となる場合がある。特に、開口１１３の周縁が閉じていない場合には、側板部材１０２のベース１０１への取付部が小さくなり、側板部材１０２をベース１０１に強固に取り付けることができず、筐体１００の強度が低下することとなる。
【０００９】
本発明は、上述した従来の問題点に鑑みなされたものであり、複雑化するレイアウトに対処でき、特に特別な構造物を追加することなく筐体強度を保持することができる筐体構造、これを用いた装置及び画像形成装置を提供することを目的とする。
【課題を解決するための手段】
【００１０】
請求項１の発明は、底板部材と、この底板部材の端部に対向して立設される２枚の側板部材とを備えた筐体構造において、前記底板部材には周縁から下方に向けた傾斜部と傾斜部から延設される底部とが形成された凹部が形成され、前記側板部材の下端部を前記凹部の底部に接触させて固着したことを特徴とする。
【００１１】
請求項２の発明は、請求項１の筐体構造において、前記２枚の側板部材間には、ステー部材が配置されていることを特徴とする。
【００１２】
請求項３の発明は、請求項１または２の筐体構造において、前記側板部材の下端部には、前記凹部の底部に接触するフランジ部が形成されてなることを特徴とする。
【００１３】
請求項４の発明は、請求項１ないし３のいずれかの筐体構造において、前記側板部材のフランジ部には、前記凹部の底板を挟んで筐体の支持脚部材が取り付けられていることを特徴とする。
【００１４】
請求項５の発明は、請求項１ないし４のいずれかの筐体構造において、前記側板部材のうち少なくとも一方の側板部材には装置部品が挿入でき、その周縁が閉曲線をなす開口が形成されていることを特徴とする。
【００１５】
請求項６の発明は、請求項５の筐体構造において、前記側板部材の開口周縁にはフランジ部が形成されていることを特徴とする。
【００１６】
請求項７の発明は、請求項５または６の筐体構造において、前記開口の下端縁は前記底板部材の周縁より下側に配置されていることを特徴とする。
【００１７】
請求項８の発明は、請求項１ないし７の筐体構造を備えた装置である。
【００１８】
請求項９の発明は、請求項１ないし７の筐体構造を備えたことを特徴とする画像形成装置である。
【発明の効果】
【００１９】
本発明に係る筐体構造によれば、複雑化するレイアウトに対処でき、特に特別な構造物を追加することなく筐体強度を保持することができる。
【発明を実施するための最良の形態】
【００２０】
以下本発明を実施するための最良の形態を、図に示す実施例を参照して説明する。
【実施例】
【００２１】
図１は本発明の実施の形態に係る筐体構造を示す斜視図、図２は図１に示した筐体構造のＡ−Ａ線に相当する拡大断面図である。
【００２２】
本例において、画像形成装置である複写装置は、筐体に原稿を読み取る画像読取部、画像を転写紙に記録する画像形成部等を配置して構成される。本例では、筐体１０は、図１に示すように、板金部材で構成された底板部材であるベース１１と、ベース１１の前後に立設された側板部材１４，１５と、この２枚の側板部材１４，１５の間を連結するステー部材１６，１７，１８を接合して構成してなる。
【００２３】
ベース１１は鋼板をプレス加工して略重宝形状に形成したものであり、４方の周縁１２に補強用の縦壁２１及び折り返し部２２を形成している。また、本例ではベース１１には周縁部２３を残し凹部１３を形成している。この凹部１３は、図２に示すように、前記周縁部２３から内側下方に向け延設される斜壁部２４とこの斜壁から延びる平板状の底板部２５とから構成されている。
【００２４】
また、本例では側板部材１４，１５の下方にはフランジ部２０が形成されてなり、側板部材１４，１５はフランジ部２０で前記底板部２５に螺子３１で固着されている。また、本例では側板部材１４には給紙トレイが差し込まれる開口１９が開設されている。この開口１９の周縁は全周に欠けがなく閉曲線として形成されており、その周囲に補強用のフランジ部３２が絞り形成されており、強度が保持できる。また、側板部材１４の下部にはその全長にわたりフランジ部２０が形成され、このフランジ部２０で側板部材１４はベース１１に強固に取り付けられる。そして、本例では、この開口１９の下縁を前記ベース１１の周縁部２３より下方に位置するように構成され、開口１９の周縁に設けられたフランジ部３２のうち最も下方に設けられる部分も周縁部２３より下方に位置するように構成される。
【００２５】
本例によれば、ベースが凹部１３で補強されている他、側板部材１４の下方をその全長にわたりベース１１に固定できる他、開口１９の全周にわたりフランジ部３２を形成することができるため、筐体構造を強固なものとすることができる。また、開口１９の最下部を周縁部２３より下方に配置できるので、給紙トレイの挿入に問題は発生せずレイアウト設定を筐体の強度を低下させることなくに行うことができる。
【００２６】
次に本発明の他の実施の形態を図３に基づいて説明する。本例では、前記側板部材１４を凹部１３の底板部２５に締結具４２を用いて取り付けると同時にベース１１の裏側（下側）に脚部材４１を取り付けるようにしている。なお、この脚部材４１は、少なくともベース１１の四隅に設けられ、画像形成装置を床上に保持する。
【００２７】
本例によれば、図４及び図５に示した従来の構造において、装置本体の設置面からベースの側板部材設置面までの距離Ｌは、脚部材１０９の高さＬ１’＋ベースの絞り部１０７の高さＬ２’＋ベースの板厚Ｌ３’の積み重ねであり、誤差の積み重ねによる筐体精度の低下が発生したのに対して、本例では脚部材４１の高さＬ１＋ベースの板厚Ｌ３積み重ねですみ、筐体を精度よく形成することができる。
【００２８】
なお、上記例では筐体は画像形成装置に使用するものとして説明したが、本発明に係る筐体は他の装置に使用するものであってもよい。また、ベースと側板部材とは螺子で結合する場合について説明したが、他の手段例えば溶接などで結合してもよい。
【図面の簡単な説明】
【００２９】
【図１】本発明の実施の形態に係る筐体構造を示す斜視図である。
【図２】図１に示した筐体構造のＡ−Ａ線に相当する拡大断面図である
【図３】本発明の他の実施の形態に係る図２と同様の拡大断面図である。
【図４】従来の筐体構造を示す図２と同様の拡大断面図である。
【図５】従来の筐体構造に使用されるベースを示す斜視図である。
【図６】従来の筐体構造を示す斜視図である。
【図７】従来の筐体構造の他の例を示す斜視図である。
【符号の説明】
【００３０】
１０  筐体
１１  ベース
１２  周縁
１３  凹部
１４，１５  側板部材
１６，１７，１８  ステー部材
１９  開口
２０  フランジ部
２１  縦壁
２２  折り返し部
２３  周縁部
２４  斜壁部
２５  底板部
３１  螺子
３２  フランジ部
４１  脚部材
４２  締結具
【図１】
2006215254.tif 000003
【図２】
2006215254.tif 000004
【図３】
2006215254.tif 000005
【図４】
2006215254.tif 000006
【図５】
2006215254.tif 000007
【図６】
2006215254.tif 000008
【図７】
2006215254.tif 000009